(57)【要約】【課題】比較的低温で硬化させることができ、耐熱性に優れた硬化物を得ることができる熱硬化性組成物を提供する。【解決手段】分子鎖末端に水酸基及び／又はアシルオキシ基を有する液晶ポリエステル（Ａ）と、水酸基及び／又はアシルオキシ基と反応する官能基並びに熱重合性官能基を分子内に有する化合物（Ｂ）とを溶融混合することにより得られる熱硬化性液晶ポリエステル組成物。当該熱硬化性液晶ポリエステル組成物において液晶ポリエステル（Ａ）は、芳香族化合物に由来するモノマー単位を有し、平均重合度が３〜３０、融点が２５０℃以下の液晶ポリエステルであることが好ましい。【選択図】なし【特許請求の範囲】
【請求項１】
分子鎖末端に水酸基及び／又はアシルオキシ基を有する液晶ポリエステル（Ａ）と、水酸基及び／又はアシルオキシ基と反応する官能基並びに熱重合性官能基を分子内に有する化合物（Ｂ）とを溶融混合することにより得られる熱硬化性液晶ポリエステル組成物。
【請求項２】
液晶ポリエステル（Ａ）が、芳香族化合物単量体に由来する構成単位を有し、平均重合度が３〜３０、融点が２５０℃以下の液晶ポリエステルである請求項１に記載の熱硬化性液晶ポリエステル組成物。
【請求項３】
化合物（Ｂ）における水酸基及び／又はアシルオキシ基と反応する官能基が、α，β−不飽和カルボニル基、エポキシ基、マレイミド基、エステル基、酸無水物基、及びカルボキシル基からなる群より選択された少なくとも１種の官能基であり、
化合物（Ｂ）における熱重合性官能基が、マレイミド基、ナジイミド基、フタルイミド基、シアネート基、ニトリル基、フタロニトリル基、スチリル基、エチニル基、プロパルギルエーテル基、ベンゾシクロブタン基、ビフェニレン基、及びこれらの置換体又は誘導体からなる群より選択された少なくとも１種の熱重合性官能基である請求項１又は２に記載の熱硬化性液晶ポリエステル組成物。
【請求項４】
下記式（１）で表される化合物、下記式（２）で表される化合物、下記式（３）で表される化合物、下記式（４）で表される化合物、及び下記式（５）で表される化合物からなる群より選択された少なくとも１種の化合物を含むことを特徴とする熱硬化性液晶ポリエステル組成物。
【化１】
2014080557.tif 000019
［式（１）中、Ｌ1は液晶ポリエステル骨格を示す。Ｘ1、Ｘ2は、同一又は異なって、有機基を示す。Ｘ1、Ｘ2は、互いに結合して式中に示される３つの炭素原子とともに環を形成していてもよい。Ｒ1、Ｒ2は、同一又は異なって、水素原子又は置換基を有していてもよいアルキル基を示す。Ｙ1、Ｙ2は、同一又は異なって、熱重合性官能基を示す。ｎ１、ｎ２は、同一又は異なって、０以上の整数を示す（但し、ｎ１＋ｎ２は１以上の整数である）。］
【化２】
2014080557.tif 000020
［式（２）中、Ｌ2は液晶ポリエステル骨格を示す。Ｘ3、Ｘ4は、同一又は異なって、有機基を示す。Ｘ3、Ｘ4は、互いに結合して式中に示される３つの炭素原子とともに環を形成していてもよい。Ｙ3、Ｙ4は、同一又は異なって、熱重合性官能基を示す。ｎ３、ｎ４は、同一又は異なって、０以上の整数を示す（但し、ｎ３＋ｎ４は１以上の整数である）。］
【化３】
2014080557.tif 000021
［式（３）中、Ｌ3は液晶ポリエステル骨格を示す。Ｘ5は有機基を示す。Ｙ5は熱重合性官能基を示す。ｎ５は１以上の整数を示す。］
【化４】
2014080557.tif 000022
［式（４）中、Ｌ4は液晶ポリエステル骨格を示す。Ｘ6は有機基を示す。Ｒ3〜Ｒ5は、同一又は異なって、水素原子又は置換基を有していてもよいアルキル基を示す。Ｙ6は熱重合性官能基を示す。ｎ６は１以上の整数を示す。］
【化５】
2014080557.tif 000023
［式（５）中、Ｌ4、Ｘ6、Ｒ3〜Ｒ5、Ｙ6、ｎ６は、前記に同じ。］
【請求項５】
無機フィラーを含む請求項１〜４のいずれか１項に記載の熱硬化性液晶ポリエステル組成物。
【請求項６】
請求項１〜５のいずれか１項に記載の熱硬化性液晶ポリエステル組成物を硬化させることにより得られる硬化物。
【請求項７】
昇温速度１０℃／分（空気中）で測定される５％重量減少温度が３５０℃以上であり、空気中における熱分解反応の活性化エネルギーが１５０ｋＪ／ｍｏｌ以上である請求項６に記載の硬化物。
【発明の詳細な説明】
【技術分野】
【０００１】
本発明は、液晶ポリエステルを含む熱硬化性樹脂組成物（熱硬化性液晶ポリエステル組成物）及び該熱硬化性樹脂組成物を硬化することにより得られる硬化物に関する。
【背景技術】
【０００２】
液晶ポリエステルに代表される液晶ポリマーは、耐熱性、成型性、耐薬品性、機械強度等の各種特性に優れるため、電気・電子部品、自動車部品等の様々な用途に使用されている。近年、特に、加熱により硬化させることによって非常に高い耐熱性を有する硬化物を形成できる熱硬化性液晶ポリマー材料に注目が集められている。
【０００３】
熱硬化性液晶ポリマー材料としては、例えば、主鎖サーモトロピック液晶エステル等の液晶オリゴマーをフェニルアセチレン、フェニルマレイミド、ナジイミド反応性末端基でエンドキャップした材料が知られている（特許文献１〜３参照）。また、主鎖に一つ以上の可溶性構造単位を有し且つ主鎖の末端の一つ以上に熱硬化性基を有する熱硬化性液晶オリゴマーと特定のフッ素化合物とを反応させて得られる材料（特許文献４参照）、上記熱硬化性液晶オリゴマーとアルコキシド金属化合物で表面を置換したナノ充填剤とを反応させて得られる材料が知られている（特許文献５参照）。
【０００４】
熱硬化性液晶ポリマー材料としては、例えば、液晶ポリマーの末端にスペーサー単位を介して架橋性基が結合した材料も知られている（特許文献６参照）。また、液晶ポリエステルの両末端に、無置換又は置換マレイミド、無置換又は置換ナジイミド、エチニル、ベンゾシクロブテンなどのラジカル重合性基を有する材料も知られている（特許文献７参照）。
【先行技術文献】
【特許文献】
【０００５】
【特許文献１】特表２００４−５０９１９０号公報
【特許文献２】米国特許第６９３９９４０号明細書
【特許文献３】米国特許第７５０７７８４号明細書
【特許文献４】特開２０１１−１１１６１９号公報
【特許文献５】特開２０１１−０８４７０７号公報
【特許文献６】特表２００２−５２１３５４号公報
【特許文献７】米国特許第５１１４６１２号明細書
【発明の概要】
【発明が解決しようとする課題】
【０００６】
しかしながら、特許文献１〜３に開示された材料は、硬化させるために３５０℃以上という高温の加熱が必要であり、硬化物の製造工程が煩雑となったり、硬化の際に構成成分が揮発・分解したり、また、例えば、封止材等の用途では封止する製品が劣化してしまう等の問題を有していた。また、特許文献４、５に開示された材料は、液晶ポリマー主鎖がアミド結合やアミン結合などを含む可溶性構造単位を必須の構造単位として含むため、得られる硬化物の耐加水分解性に問題を有していた。また、特許文献６に開示された材料は、液晶ポリマーと架橋性基の連結基としてアルキレン基等のスペーサー単位を有するために熱分解を受けやすく、得られる硬化物の耐熱性に劣るという問題を有していた。さらに、特許文献７に開示された材料は、得られる硬化物が脆いという問題を有していた。
【０００７】
従って、本発明の目的は、比較的低温（例えば、２５０℃以下）で硬化させることができ、耐熱性等の各種物性に優れた硬化物を得ることができる熱硬化性組成物（熱硬化性液晶ポリエステル組成物）を提供することにある。
【課題を解決するための手段】
【０００８】
本発明者らは、上記課題を解決するため鋭意検討した結果、特定構造の液晶ポリエステルと、分子内に特定の官能基を有する化合物とを溶融混合することによって、比較的低温で硬化させることができ、耐熱性等の各種物性に優れた硬化物を得ることができる熱硬化性組成物が得られることを見出し、本発明を完成させた。
【０００９】
すなわち、本発明は、分子鎖末端に水酸基及び／又はアシルオキシ基を有する液晶ポリエステル（Ａ）と、水酸基及び／又はアシルオキシ基と反応する官能基並びに熱重合性官能基を分子内に有する化合物（Ｂ）とを溶融混合することにより得られる熱硬化性液晶ポリエステル組成物を提供する。
【００１０】
さらに、液晶ポリエステル（Ａ）が、芳香族化合物単量体に由来する構成単位を有し、平均重合度が３〜３０、融点が２５０℃以下の液晶ポリエステルである前記の熱硬化性液晶ポリエステル組成物を提供する。
【００１１】
さらに、化合物（Ｂ）における水酸基及び／又はアシルオキシ基と反応する官能基が、α，β−不飽和カルボニル基、エポキシ基、マレイミド基、エステル基、酸無水物基、及びカルボキシル基からなる群より選択された少なくとも１種の官能基であり、
化合物（Ｂ）における熱重合性官能基が、マレイミド基、ナジイミド基、フタルイミド基、シアネート基、フタロニトリル基、スチリル基、エチニル基、プロパルギルエーテル基、ベンゾシクロブタン基、ビフェニレン基、及びこれらの置換体又は誘導体からなる群より選択された少なくとも１種の熱重合性官能基である前記の熱硬化性液晶ポリエステル組成物を提供する。
【００１２】
また、本発明は、下記式（１）で表される化合物、下記式（２）で表される化合物、下記式（３）で表される化合物、下記式（４）で表される化合物、及び下記式（５）で表される化合物からなる群より選択された少なくとも１種の化合物を含むことを特徴とする熱硬化性液晶ポリエステル組成物を提供する。
【化１】
2014080557.tif 000002
［式（１）中、Ｌ1は液晶ポリエステル骨格を示す。Ｘ1、Ｘ2は、同一又は異なって、有機基を示す。Ｘ1、Ｘ2は、互いに結合して式中に示される３つの炭素原子とともに環を形成していてもよい。Ｒ1、Ｒ2は、同一又は異なって、水素原子又は置換基を有していてもよいアルキル基を示す。Ｙ1、Ｙ2は、同一又は異なって、熱重合性官能基を示す。ｎ１、ｎ２は、同一又は異なって、０以上の整数を示す（但し、ｎ１＋ｎ２は１以上の整数である）。］
【化２】
2014080557.tif 000003
［式（２）中、Ｌ2は液晶ポリエステル骨格を示す。Ｘ3、Ｘ4は、同一又は異なって、有機基を示す。Ｘ3、Ｘ4は、互いに結合して式中に示される３つの炭素原子とともに環を形成していてもよい。Ｙ3、Ｙ4は、同一又は異なって、熱重合性官能基を示す。ｎ３、ｎ４は、同一又は異なって、０以上の整数を示す（但し、ｎ３＋ｎ４は１以上の整数である）。］
【化３】
2014080557.tif 000004
［式（３）中、Ｌ3は液晶ポリエステル骨格を示す。Ｘ5は有機基を示す。Ｙ5は熱重合性官能基を示す。ｎ５は１以上の整数を示す。］
【化４】
2014080557.tif 000005
［式（４）中、Ｌ4は液晶ポリエステル骨格を示す。Ｘ6は有機基を示す。Ｒ3〜Ｒ5は、同一又は異なって、水素原子又は置換基を有していてもよいアルキル基を示す。Ｙ6は熱重合性官能基を示す。ｎ６は１以上の整数を示す。］
【化５】
2014080557.tif 000006
［式（５）中、Ｌ4、Ｘ6、Ｒ3〜Ｒ5、Ｙ6、ｎ６は、前記に同じ。］
【００１３】
さらに、無機フィラーを含む前記の熱硬化性液晶ポリエステル組成物を提供する。
【００１４】
また、本発明は、前記の熱硬化性液晶ポリエステル組成物を硬化させることにより得られる硬化物を提供する。
【００１５】
さらに、昇温速度１０℃／分（空気中）で測定される５％重量減少温度が３５０℃以上であり、空気中における熱分解反応の活性化エネルギーが１５０ｋＪ／ｍｏｌ以上である前記の硬化物を提供する。
【発明の効果】
【００１６】
本発明の熱硬化性液晶ポリエステル組成物は上記構成を有するため、比較的低温（例えば、２５０℃以下）で硬化させることができ、硬化させることにより得られる硬化物は耐熱性に優れる。また、本発明の熱硬化性液晶ポリエステル組成物は液晶ポリエステルを必須の構成成分として含むため、得られる硬化物は加工性、寸法安定性、低線膨張、高熱伝導、低吸湿性、及び誘電特性にも優れる。
【発明を実施するための形態】
【００１７】
＜熱硬化性液晶ポリエステル組成物＞
本発明の熱硬化性液晶ポリエステル組成物は、以下の成分（Ａ）及び成分（Ｂ）を溶融混合することにより得られる熱硬化性組成物（熱硬化性樹脂組成物）である。
成分（Ａ）：分子鎖末端に水酸基、アシルオキシ基、芳香族環、及び共役ジエン構造からなる群より選択された少なくとも１種の基（特に、水酸基及び／又はアシルオキシ基）を有する液晶ポリエステル（「液晶ポリエステル（Ａ）」と称する場合がある）
成分（Ｂ）：水酸基、アシルオキシ基、芳香族環、又は共役ジエン構造と反応する官能基（特に、水酸基及び／又はアシルオキシ基と反応する官能基）、並びに熱重合性官能基を分子内に有する化合物（「化合物（Ｂ）」と称する場合がある）
なお、上記「水酸基及び／又はアシルオキシ基」とは、「水酸基及びアシルオキシ基のいずれか一方又は両方」を意味し、他についても同様である。
【００１８】
［液晶ポリエステル（Ａ）］
本発明の熱硬化性液晶ポリエステル組成物を構成するための液晶ポリエステル（Ａ）は、上述のように、分子鎖末端に水酸基、アシルオキシ基、芳香族環、及び共役ジエン構造からなる群より選択された少なくとも１種の基（「付加反応性基（ａ）」と称する場合がある）を有する液晶ポリエステルである。液晶ポリエステル（Ａ）は、ポリエステル構造を有する重合体（ポリマー又はオリゴマー）であって、その溶融体（例えば、４５０℃以下における溶融体）が光学的異方性を示す液晶ポリエステル（サーモトロピック液晶ポリマー）である。
【００１９】
液晶ポリエステル（Ａ）が分子鎖末端に水酸基を有する場合、特に限定されないが、分子鎖の一方の末端（片末端）のみに水酸基を有していてもよいし、分子鎖の両方の末端（両末端）に水酸基を有していてもよい。また、液晶ポリエステル（Ａ）は、分子鎖末端以外の部分に水酸基を有するものであってもよい。
【００２０】
液晶ポリエステル（Ａ）が分子鎖末端に有する水酸基は、フェノール性水酸基であってもよいし、アルコール性水酸基であってもよい。中でも、硬化物の耐熱性の観点で、液晶ポリエステル（Ａ）が分子鎖末端に有する水酸基は、フェノール性水酸基であることが好ましい。なお、本明細書における「フェノール性水酸基」には、置換又は無置換ベンゼン環に結合した水酸基に加え、その他の芳香族環（ナフタレン環、アントラセン環など）に結合した水酸基も含まれるものとする。
【００２１】
液晶ポリエステル（Ａ）が分子鎖末端にアシルオキシ基を有する場合、特に限定されないが、分子鎖の一方の末端（片末端）のみにアシルオキシ基を有していてもよいし、分子鎖の両方の末端（両末端）にアシルオキシ基を有していてもよい。また、液晶ポリエステル（Ａ）は、分子鎖末端以外の部分にアシルオキシ基を有するものであってもよい。
【００２２】
液晶ポリエステル（Ａ）が分子鎖末端に有するアシルオキシ基としては、例えば、アセチルオキシ基（アセトキシ基）、プロピオニルオキシ基、ブチリルオキシ基などが挙げられる。中でも、使用する原料の汎用性と反応性の観点で、液晶ポリエステル（Ａ）が分子鎖末端に有するアシルオキシ基は、アセトキシ基であることが好ましい。
【００２３】
液晶ポリエステル（Ａ）が分子鎖末端に芳香族環を有する場合、特に限定されないが、分子鎖の一方の末端（片末端）のみに芳香族環を有していてもよいし、分子鎖の両方の末端（両末端）に芳香族環を有していてもよい。また、液晶ポリエステル（Ａ）は、分子鎖末端以外の部分に芳香族環を有するものであってもよい。なお、液晶ポリエステル（Ａ）が分子鎖末端に有する芳香族環には、環１個あたり１以上の置換基が結合していてもよい。上記置換基としては、公知乃至慣用の置換基が挙げられ、特に限定されないが、例えば、後述の芳香族ヒドロキシカルボン酸が有していてもよい置換基として例示したものなどが挙げられる。
【００２４】
液晶ポリエステル（Ａ）が分子鎖末端にフェノール性水酸基を有する場合、該液晶ポリエステル（Ａ）は、分子鎖末端に水酸基を有する液晶ポリエステルでもあるし、分子鎖末端に芳香族環を有する液晶ポリエステルでもある。
【００２５】
液晶ポリエステル（Ａ）が分子鎖末端に共役ジエン構造を有する場合、特に限定されないが、分子鎖の一方の末端（片末端）のみに共役ジエン構造を有していてもよいし、分子鎖の両方の末端（両末端）に共役ジエン構造を有していてもよい。また、液晶ポリエステル（Ａ）は、分子鎖末端以外の部分に共役ジエン構造を有するものであってもよい。
【００２６】
液晶ポリエステル（Ａ）が分子鎖末端に有する共役ジエン構造としては、例えば、鎖状共役ジエン構造、環状共役ジエン構造などが挙げられる。上記鎖状共役ジエン構造としては、例えば、１，３−ブタジエン、イソプレン、２，３−ジメチル−１，３−ブタジエン、１，３−ペンタジエン、１，３−ヘキサジエンなどに由来する構造などが挙げられる。上記環状共役ジエン構造としては、例えば、１，３−シクロペンタジエン、１，３−シクロヘキサジエン、フラン及びその誘導体、チオフェン及びその誘導体などに由来する構造などが挙げられる。
【００２７】
液晶ポリエステル（Ａ）は、分子鎖末端に、水酸基、アシルオキシ基、芳香族環、及び共役ジエン構造からなる群より選択された２種以上を有するものであってもよい。例えば、液晶ポリエステル（Ａ）は、分子鎖末端に水酸基とアシルオキシ基の両方を有するものであってもよく、具体的には、分子鎖の一方の末端に水酸基を有し、他方の末端にアシルオキシ基を有するものであってもよい。
【００２８】
液晶ポリエステル（Ａ）としては、溶融体の光学的異方性の観点で、芳香族化合物（芳香族化合物単量体）に由来する構成単位（繰り返し構成単位）を少なくとも有する液晶ポリエステルが好ましい。具体的には、液晶ポリエステル（Ａ）は、芳香族ヒドロキシカルボン酸、芳香族ジカルボン酸、及び芳香族ジオールからなる群より選択された少なくとも１種の芳香族化合物由来の構成単位を少なくとも含む液晶ポリエステルであることが好ましい。
【００２９】
上記芳香族ヒドロキシカルボン酸としては、例えば、４−ヒドロキシ安息香酸、３−ヒドロキシ安息香酸、１−ヒドロキシ−２−ナフトエ酸、３−ヒドロキシ−２−ナフトエ酸、６−ヒドロキシ−２−ナフトエ酸、５−ヒドロキシ−１−ナフトエ酸、４'−ヒドロキシ［１，１'−ビフェニル］−４−カルボン酸、及びこれらの誘導体などが挙げられる。上記誘導体としては、例えば、上記芳香族ヒドロキシカルボン酸の芳香環（芳香族環）に、炭素数０〜２０（好ましくは炭素数０〜１０）の置換基が置換した化合物等が挙げられる。上記置換基としては、例えば、アルキル基［例えば、メチル基、エチル基など］；アルケニル基［例えば、ビニル基、アリル基など］；アルキニル基［例えば、エチニル基、プロピニル基など］；ハロゲン原子［例えば、塩素原子、臭素原子、ヨウ素原子など］；ヒドロキシル基；アルコキシ基［例えば、メトキシ基、エトキシ基、プロポキシ基、イソプロピルオキシ基、ブトキシ基、イソブチルオキシ基等のＣ1-6アルコキシ基（好ましくはＣ1-4アルコキシ基）など］；アルケニルオキシ基［例えば、アリルオキシ基等のＣ2-6アルケニルオキシ基（好ましくはＣ2-4アルケニルオキシ基）など］；アリールオキシ基［例えば、フェノキシ基、トリルオキシ基、ナフチルオキシ基等の、芳香環にＣ1-4アルキル基、Ｃ2-4アルケニル基、ハロゲン原子、Ｃ1-4アルコキシ基等の置換基を有していてもよいＣ6-14アリールオキシ基など］；アラルキルオキシ基［例えば、ベンジルオキシ基、フェネチルオキシ基等のＣ7-18アラルキルオキシ基など］；アシルオキシ基［例えば、アセチルオキシ基、プロピオニルオキシ基、（メタ）アクリロイルオキシ基、ベンゾイルオキシ基等のＣ1-12アシルオキシ基など］；メルカプト基；アルキルチオ基［例えば、メチルチオ基、エチルチオ基等のＣ1-6アルキルチオ基（好ましくはＣ1-4アルキルチオ基）など］；アルケニルチオ基［例えば、アリルチオ基等のＣ2-6アルケニルチオ基（好ましくはＣ2-4アルケニルチオ基）など］；アリールチオ基［例えば、フェニルチオ基、トリルチオ基、ナフチルチオ基等の、芳香環にＣ1-4アルキル基、Ｃ2-4アルケニル基、ハロゲン原子、Ｃ1-4アルコキシ基等の置換基を有していてもよいＣ6-14アリールチオ基など］；アラルキルチオ基［例えば、ベンジルチオ基、フェネチルチオ基等のＣ7-18アラルキルチオ基など］；カルボキシル基；アルコキシカルボニル基［例えば、メトキシカルボニル基、エトキシカルボニル基、プロポキシカルボニル基、ブトキシカルボニル基等のＣ1-6アルコキシ−カルボニル基など］；アリールオキシカルボニル基［例えば、フェノキシカルボニル基、トリルオキシカルボニル基、ナフチルオキシカルボニル基等のＣ6-14アリールオキシ−カルボニル基など］；アラルキルオキシカルボニル基［例えば、ベンジルオキシカルボニル基などのＣ7-18アラルキルオキシ−カルボニル基など］；アミノ基；モノ又はジアルキルアミノ基［例えば、メチルアミノ基、エチルアミノ基、ジメチルアミノ基、ジエチルアミノ基等のモノ又はジ−Ｃ1-6アルキルアミノ基など］；モノ又はジフェニルアミノ基［例えば、フェニルアミノ基など］；アシルアミノ基［例えば、アセチルアミノ基、プロピオニルアミノ基、ベンゾイルアミノ基等のＣ1-11アシルアミノ基など］；エポキシ基含有基［例えば、グリシジル基、グリシジルオキシ基、３，４−エポキシシクロヘキシル基など］；オキセタニル基含有基［例えば、エチルオキセタニルオキシ基など］；アシル基［例えば、アセチル基、プロピオニル基、ベンゾイル基など］；オキソ基；イソシアネート基；これらの２以上が必要に応じてＣ1-6アルキレン基を介して結合した基などが挙げられる。なお、液晶ポリエステル（Ａ）は、芳香族ヒドロキシカルボン酸由来の構成単位の１種を有するものであってもよいし、２種以上を有するものであってもよい。
【００３０】
上記芳香族ジカルボン酸としては、例えば、フタル酸、テレフタル酸、イソフタル酸、２，６−ナフタレンジカルボン酸、１，５−ナフタレンジカルボン酸、［１，１'−ビフェニル］−４，４'−ジカルボン酸、４，４'−オキシビス（安息香酸）、４，４'−チオビス（安息香酸）、４−［２−（４−カルボキシフェノキシ）エトキシ］安息香酸、及びこれらの誘導体などが挙げられる。上記誘導体としては、例えば、上記芳香族ジカルボン酸の芳香環に、炭素数０〜２０（好ましくは炭素数０〜１０）の置換基が置換した化合物などが挙げられる。上記置換基としては、芳香族ヒドロキシカルボン酸における置換基と同様のものが例示される。なお、液晶ポリエステル（Ａ）は、芳香族ジカルボン酸由来の構成単位の１種を有するものであってもよいし、２種以上を有するものであってもよい。
【００３１】
上記芳香族ジオールとしては、例えば、４，４'−ジヒドロキシビフェニル、ヒドロキノン、レゾルシノール、２，６−ナフタレンジオール、１，５−ナフタレンジオール、［１，１'−ビフェニル］−４，４'−ジオール、４，４'−ジヒドロキシジフェニルエーテル、ビス（４−ヒドロキシフェニル）メタノン、ビスフェノールＡ、ビスフェノールＦ、ビスフェノールＳ、（フェニルスルホニル）ベンゼン、［１，１'−ビフェニル］−２，５−ジオール、及びこれらの誘導体などが挙げられる。上記誘導体としては、例えば、上記芳香族ジオールの芳香環に、炭素数０〜２０（好ましくは炭素数０〜１０）の置換基が置換した化合物などが挙げられる。上記置換基としては、芳香族ヒドロキシカルボン酸における置換基と同様のものが例示される。なお、液晶ポリエステル（Ａ）は、芳香族ジオール由来の構成単位の１種を有するものであってもよいし、２種以上を有するものであってもよい。
【００３２】
上述の芳香族化合物（芳香族ヒドロキシカルボン酸、芳香族ジカルボン酸、芳香族ジオール）の、液晶ポリエステル（Ａ）を構成する単量体全量（１００重量％）に対する割合（２種以上を含む場合にはこれら総量の割合）は、特に限定されないが、６０〜１００重量％が好ましく、より好ましくは８０〜１００重量％、さらに好ましくは９０〜１００重量％である。特に、液晶ポリエステル（Ａ）が実質的に上述の芳香族化合物（芳香族ヒドロキシカルボン酸、芳香族ジカルボン酸、芳香族ジオール）由来の構成単位のみからなることが好ましい。上記割合が６０重量％未満であると、導入される他の単量体由来の構成単位によっては、液晶ポリエステル（Ａ）が溶融状態で液晶性を発現しにくくなったり、硬化物の耐熱性や耐湿性（耐加水分解性）が低下する場合がある。
【００３３】
液晶ポリエステル（Ａ）は、上述の構成単位（芳香族ヒドロキシカルボン酸由来の構成単位、芳香族ジカルボン酸由来の構成単位、芳香族ジオール由来の構成単位）以外の構成単位（「その他の構成単位」と称する場合がある）を有していてもよく、上記その他の構成単位としては、例えば、芳香族ジアミン由来の構成単位、フェノール性水酸基を有する芳香族アミン由来の構成単位などが挙げられる。
【００３４】
上記芳香族ジアミンとしては、例えば、１，４−ベンゼンジアミン、１，３−ベンゼンジアミン、４−メチル−１，３−ベンゼンジアミン、４−（４−アミノベンジル）フェニルアミン、４−（４−アミノフェノキシ）フェニルアミン、３−（４−アミノフェノキシ）フェニルアミン、４'−アミノ−３，３'−ジメチル［１，１'−ビフェニル］−４−イルアミン、４'−アミノ−３，３'−ビス（トリフルオロメチル）［１，１'−ビフェニル］−４−イルアミン、４−アミノ−Ｎ−（４−アミノフェニル）ベンズアミド、４−［（４−アミノフェニル）スルホニル］フェニルアミン、ビス（４−アミノフェニル）メタノン、及びこれらの誘導体などが挙げられる。上記誘導体としては、例えば、上記芳香族ジアミンの芳香環に、炭素数０〜２０（好ましくは炭素数０〜１０）の置換基が置換した化合物などが挙げられる。上記置換基としては、芳香族ヒドロキシカルボン酸における置換基と同様のものが例示される。なお、液晶ポリエステル（Ａ）は、芳香族ジアミン由来の構成単位の１種を有するものであってもよいし、２種以上を有するものであってもよい。
【００３５】
上記フェノール性水酸基を有する芳香族アミンとしては、例えば、４−アミノフェノール、４−アセトアミドフェノール、３−アミノフェノール、３−アセトアミドフェノール、６−アミノ−２−ナフトール、５−アミノ−１−ナフトール、４'−ヒドロキシ−［１，１'−ビフェニル］−４−アミン、４−アミノ−４'−ヒドロキシジフェニルメタン、及びこれらの誘導体などが挙げられる。上記誘導体としては、例えば、上記フェノール性水酸基を有する芳香族アミンの芳香環に、炭素数０〜２０（好ましくは炭素数０〜１０）の置換基が置換した化合物などが挙げられる。上記置換基としては、芳香族ヒドロキシカルボン酸における置換基と同様のものが例示される。なお、液晶ポリエステル（Ａ）は、フェノール性水酸基を有する芳香族アミン由来の構成単位の１種を有するものであってもよいし、２種以上を有するものであってもよい。
【００３６】
上述の芳香族化合物（芳香族ジアミン、フェノール性水酸基を有する芳香族アミン）の、液晶ポリエステル（Ａ）を構成する単量体全量（１００重量％）に対する割合（２種以上を含む場合にはこれら総量の割合）は、特に限定されないが、３０重量％以下（例えば、０〜３０重量％）が好ましく、より好ましくは１０重量％以下、さらに好ましくは５重量％以下である。上記割合が３０重量％を超えると、硬化物の耐吸湿性（耐加水分解性）が低下する場合がある。
【００３７】
液晶ポリエステル（Ａ）は、上述の芳香族化合物（単量体）を公知乃至慣用の方法により重合することにより製造でき、その製造方法は特に限定されない。具体的には、例えば、上述の芳香族ヒドロキシカルボン酸、芳香族ジオール、フェノール性水酸基を有する芳香族アミン、芳香族ジアミン等のヒドロキシル基やアミノ基を有する芳香族化合物を過剰量の脂肪酸無水物によりアシル化し、得られたアシル化物と、芳香族ヒドロキシカルボン酸や芳香族ジカルボン酸などのカルボキシル基を有する芳香族化合物とを反応（エステル交換反応、アミド交換反応）させることにより製造できる。より具体的には、例えば、特開２００７−１１９６１０号公報に記載の方法などにより製造できる。また、液晶ポリエステル（Ａ）としては、市販品を使用することも可能である。
【００３８】
分子鎖末端に水酸基を有する液晶ポリエステル（Ａ）を生成させる方法としては、例えば、水酸基が過剰となるように単量体組成を制御する方法（例えば、単量体成分として芳香族ジオールを過剰に使用する方法など）などが挙げられる。具体的には、液晶ポリエステル（Ａ）を製造する際に使用する液晶ポリエステル（Ａ）を構成する単量体における、水酸基と該水酸基と縮合反応する官能基（カルボキシル基、カルボキシル基より誘導される基（エステル基、酸無水物基、酸ハロゲン化物基など）、アミノ基など）との割合は、特に限定されないが、水酸基と縮合反応する官能基１モルに対して水酸基が１．０２モル以上（例えば、１．０２〜１００モル）が好ましく、より好ましくは１．０５モル以上、さらに好ましくは１．１０モル以上である。水酸基が１．０２モル未満であると、分子量が高くなりすぎ、熱硬化反応に時間を要する場合がある。より具体的には、液晶ポリエステル（Ａ）を構成する単量体の全量（１００モル％）に対する芳香族ジオールの割合は、特に限定されないが、３〜２５モル％が好ましく、より好ましくは４〜２５モル％である。
【００３９】
また、分子鎖末端にアシルオキシ基を有する液晶ポリエステル（Ａ）を生成させる方法としては、例えば、分子鎖末端に水酸基を有する液晶ポリエステル（Ａ）の当該水酸基を公知乃至慣用のアシル化剤（例えば、無水酢酸等の脂肪酸無水物、酸ハロゲン化物など）を用いてアシル化する方法などが挙げられる。
【００４０】
分子鎖末端に芳香族環を有する液晶ポリエステル（Ａ）を生成させる方法としては、例えば、単量体として実質的に芳香族化合物（例えば、上述の芳香族ヒドロキシカルボン酸、芳香族ジカルボン酸、芳香族ジオールなど）のみを使用する方法や、ヒドロキシル基やカルボキシル基などの反応性基を分子鎖末端に有する液晶ポリエステルの末端の当該反応性基に対して、芳香族化合物を付加反応させて分子鎖末端に芳香族環を形成する方法などが挙げられる。
【００４１】
分子鎖末端に共役ジエン構造を有する液晶ポリエステル（Ａ）を生成させる方法としては、例えば、ヒドロキシル基やカルボキシル基などの反応性基を末端に有する液晶ポリエステルの当該反応性基に対して、共役ジエン構造を有し、かつ上記反応性基に付加反応させることが可能な化合物（例えば、（１−メチル−２，４−シクロペンタジエン−１−イル）メタノールなど）を反応させる方法などが挙げられる。
【００４２】
液晶ポリエステル（Ａ）の平均重合度は、特に限定されないが、３〜３０が好ましく、より好ましくは４〜２５、さらに好ましくは５〜２０である。平均重合度が３未満であると、硬化反応性が低下する場合がある。一方、平均重合度が３０を超えると、硬化時の反応温度が高くなる場合がある。なお、液晶ポリエステル（Ａ）の平均重合度は、例えば、ＧＰＣ測定により求めることができる。
【００４３】
液晶ポリエステル（Ａ）のガラス転移温度（Ｔｇ）は、特に限定されないが、３０〜１５０℃が好ましく、より好ましくは４０〜１２０℃、さらに好ましくは５０〜１００℃である。ガラス転移温度が３０℃未満であると、硬化物の耐熱性に劣る場合がある。一方、ガラス転移温度が１５０℃を超えると、液晶ポリエステル（Ａ）と化合物（Ｂ）の溶融混合を高温で実施する必要が生じ、溶融混合時に化合物（Ｂ）の熱重合性官能基が重合反応を起こしてしまう場合がある。なお、液晶ポリエステル（Ａ）のガラス転移温度は、例えば、ＤＳＣ、ＴＧＡ等の熱分析や動的粘弾性測定により測定できる。
【００４４】
液晶ポリエステル（Ａ）の融点（Ｔｍ）は、特に限定されないが、２５０℃以下（例えば、４０〜２５０℃）が好ましく、より好ましくは８０〜２２０℃、さらに好ましくは１２０〜２００℃である。融点が２５０℃を超えると、液晶ポリエステル（Ａ）と化合物（Ｂ）の溶融混合を高温で実施する必要が生じ、溶融混合時に化合物（Ｂ）の熱重合性官能基が重合反応を起こしてしまう場合がある。なお、液晶ポリエステル（Ａ）の融点は、例えば、ＤＳＣ、ＴＧＡ等の熱分析や動的粘弾性測定により測定できる。
【００４５】
［化合物（Ｂ）］
本発明の熱硬化性液晶ポリエステル組成物を構成するための化合物（Ｂ）は、上述のように、分子内（一分子中）に、液晶ポリエステル（Ａ）が分子鎖末端に有する付加反応性基（ａ）（水酸基、アシルオキシ基、芳香族環、及び共役ジエン構造からなる群より選択された少なくとも１種）と反応する官能基（「付加反応性基（ｂ）」と称する場合がある）と、熱重合性官能基（熱硬化性官能基）とを少なくとも有する化合物である。
【００４６】
上記付加反応性基（ｂ）としては、液晶ポリエステル（Ａ）の付加反応性基（ａ）と反応し得る官能基であればよく、特に限定されないが、上記反応が進行する温度の観点で、例えば、α，β−不飽和カルボニル基（例えば、カルボニル炭素のα位とβ位の間に炭素−炭素不飽和結合を有するケトン基、カルボニル炭素のα位とβ位の間に炭素−炭素不飽和結合を有するエステル基、カルボニル炭素のα位とβ位の間に炭素−炭素不飽和結合を有するアミド基、カルボニル炭素のα位とβ位の間に炭素−炭素不飽和結合を有するイミド基など）；エポキシ基；マレイミド基；エステル基；酸無水物基（例えば、マレイン酸無水物基など）；カルボキシル基などが挙げられる。なお、化合物（Ｂ）は、上記付加反応性基（ｂ）の１種を有するものであってもよいし、２種以上を有するものであってもよい。
【００４７】
なお、上記で例示した付加反応性基（ｂ）のうち、α，β−不飽和カルボニル基、エポキシ基、マレイミド基、エステル基、酸無水物基、カルボキシル基は、水酸基と反応する付加反応性基（対水酸基反応性基）である。また、上記で例示した付加反応性基（ｂ）のうち、カルボキシル基は、アシルオキシ基と反応する付加反応性基（対アシルオキシ基反応性基）である。さらに、上記で例示した付加反応性基（ｂ）のうち、マレイミド基、酸無水物基（特に、マレイン酸無水物基）は、芳香族環と反応（環化付加反応）する付加反応性基、及び／又は、共役ジエン構造と反応（環化付加反応）する付加反応性基である。
【００４８】
化合物（Ｂ）における付加反応性基（ｂ）の数は、１個以上であればよく、特に限定されないが、１〜１０個が好ましく、より好ましくは１〜５個である。
【００４９】
上記熱重合性官能基としては、加熱により重合し得る官能基であればよく、特に限定されないが、重合反応が進行する温度の観点で、例えば、マレイミド基、ナジイミド基、フタルイミド基、シアネート基、ニトリル基、フタロニトリル基、スチリル基、エチニル基、プロパルギルエーテル基、ベンゾシクロブタン基、ビフェニレン基、及びこれらの置換体又は誘導体などが挙げられる。なお、上記置換体又は誘導体としては、上記熱重合性官能基に置換基（例えば、上述の芳香族ヒドロキシカルボン酸における置換基等）が結合した熱重合性官能基などが挙げられる。中でも、構造の一部又は全部が上記付加反応性基（ｂ）としても機能する点で、マレイミド基が好ましい。なお、化合物（Ｂ）は、上記熱重合性官能基の１種を有するものであってもよいし、２種以上を有するものであってもよい。
【００５０】
化合物（Ｂ）における熱重合性官能基の数は、１個以上であればよく、特に限定されないが、１〜１０個が好ましく、より好ましくは１〜５個である。
【００５１】
なお、化合物（Ｂ）は、付加反応性基（ｂ）を１個以上と熱重合性官能基を１個以上有する必要がある。例えば、化合物（Ｂ）が付加反応性基（ｂ）としても熱重合性官能基としても機能するマレイミド基を有する場合には、マレイミド基を２個以上有する必要がある。当該マレイミド基におけるα炭素−β炭素二重結合は、液晶ポリエステル（Ａ）の水酸基、芳香族環、又は共役ジエン構造と反応することにより消失し、もはや熱重合性官能基としては機能できなくなるためである。
【００５２】
化合物（Ｂ）としては、例えば、分子内に１以上の付加反応性基（ｂ）と１以上の熱重合性官能基とを有し、かつ炭素数が１００以下（好ましくは１０〜５０）の化合物が挙げられる。このような化合物（Ｂ）としては、例えば、炭化水素基、複素環式基、又はこれらの２以上が連結基（１以上の原子を有する２価の基）の１以上を介して結合した基により形成された化合物等が挙げられる。上記炭化水素基、複素環式基、これらの２以上が連結基の１以上を介して結合した基としては、例えば、下記式（ｉ）中のＸ1、Ｘ2として例示した基（有機基）などが挙げられる。
【００５３】
具体的には、化合物（Ｂ）としては、下記式（ｉ）で表される化合物（α，β−不飽和カルボニル基（不飽和基が二重結合の場合）及び熱重合性官能基を有する化合物）が挙げられる。
【化６】
2014080557.tif 000007
【００５４】
上記式（ｉ）中のＸ1、Ｘ2は、同一又は異なって有機基を示す。上記有機基としては、特に限定されないが、置換又は無置換の炭化水素基、置換又は無置換の複素環式基、これらの基の２以上が１以上の連結基を介して結合した基などが挙げられる。
【００５５】
上記炭化水素基としては、例えば、脂肪族炭化水素基、脂環式炭化水素基、芳香族炭化水素基、これらが２以上結合した基が挙げられる。上記脂肪族炭化水素基としては、例えば、アルキル基、アルケニル基、アルキニル基、及びこれらに対応する２価以上の基が挙げられる。上記アルキル基としては、例えば、メチル基、エチル基、プロピル基、イソプロピル基、ブチル基、ヘキシル基、オクチル基、イソオクチル基、デシル基、ドデシル基などのＣ1-20アルキル基（好ましくはＣ1-10アルキル基、さらに好ましくはＣ1-4アルキル基）などが挙げられる。上記アルケニル基としては、例えば、ビニル基、アリル基、メタリル基、１−プロペニル基、イソプロペニル基、１−ブテニル基、２−ブテニル基、３−ブテニル基、１−ペンテニル基、２−ペンテニル基、３−ペンテニル基、４−ペンテニル基、５−ヘキセニル基などのＣ2-20アルケニル基（好ましくはＣ2-10アルケニル基、さらに好ましくはＣ2-4アルケニル基）などが挙げられる。上記アルキニル基としては、例えば、エチニル基、プロピニル基などのＣ2-20アルキニル基（好ましくはＣ2-10アルキニル基、さらに好ましくはＣ2-4アルキニル基）などが挙げられる。
【００５６】
上記脂環式炭化水素基としては、例えば、シクロプロピル基、シクロブチル基、シクロペンチル基、シクロヘキシル基、シクロドデシル基などのＣ3-12のシクロアルキル基及び対応する２価以上の基；シクロヘキセニル基などのＣ3-12のシクロアルケニル基及び対応する２価以上の基；ビシクロヘプタニル基、ビシクロヘプテニル基、及びこれらに対応する２価以上の基などのＣ4-15の架橋環式炭化水素基などが挙げられる。
【００５７】
上記芳香族炭化水素基としては、例えば、フェニル基、ナフチル基等のＣ6-14アリール基（特に、Ｃ6-10アリール基）及び対応する２価以上の基などが挙げられる。
【００５８】
また、上記炭化水素基としては、例えば、シクロへキシルメチル基、メチルシクロヘキシル基、及びこれらに対応する２価以上の基などの脂肪族炭化水素基と脂環式炭化水素基とが結合した基；ベンジル基、フェネチル基等のＣ7-18アラルキル基（特に、Ｃ7-10アラルキル基）、シンナミル基等のＣ6-10アリール−Ｃ2-6アルケニル基、トリル基等のＣ1-4アルキル置換アリール基、スチリル基等のＣ2-4アルケニル置換アリール基、及びこれらに対応する２価以上の基などの脂肪族炭化水素基と芳香族炭化水素基とが結合した基などが挙げられる。上記炭化水素基が有していてもよい置換基としては、例えば、上述の芳香族ヒドロキシカルボン酸における置換基と同様の基が挙げられる。
【００５９】
上記複素環式基としては、例えば、ピリジル基、フリル基、チエニル基、及びこれらに対応する２価以上の基などが挙げられる。上記複素環式基が有していてもよい置換基としては、例えば、上述の芳香族ヒドロキシカルボン酸における置換基と同様の基が挙げられる。
【００６０】
上記炭化水素基としては、例えば、２以上の炭化水素基が１以上の連結基［１以上の原子を有する２価の基；例えば、エステル結合、エーテル結合、カーボネート結合、アミド結合、チオエーテル結合、チオエステル結合、−ＮＲ−（Ｒは水酸基又はアルキル基を示す）、イミド結合、これらの２以上が結合した基など］で連結された基なども挙げられる。また、上記複素環式基としては、２以上の複素環式基が直接結合した基なども挙げられる。また、上記有機基（Ｘ1、Ｘ2）は、上記炭化水素基の１以上と上記複素環式基の１以上とが、直接及び／又は１以上の連結基を介して結合した基であってもよい。
【００６１】
上記式（ｉ）中のＸ1、Ｘ2は、互いに結合して式中に示される３つの炭素原子とともに環を形成していてもよい。具体的には、Ｘ1及びＸ2と式中に示される３つの炭素原子とで形成される環構造としては、例えば、シクロアルケノン環、シクロアルケンジオン環、フランジオン環（マレイン酸無水物環）、ピロールジオン環（マレイミド環）、カルボニル炭素のα位とβ位の間に炭素−炭素不飽和結合を有するラクトン環、カルボニル炭素のα位とβ位の間に炭素−炭素不飽和結合を有するラクタム環などが挙げられる。
【００６２】
上記式（ｉ）中のＲ1、Ｒ2は、同一又は異なって、水素原子又は置換基を有していてもよいアルキル基を示す。上記アルキル基としては、例えば、メチル基、エチル基、プロピル基、イソプロピル基、ブチル基、イソブチル基、ｓ−ブチル基、ｔ−ブチル基、ペンチル基、ヘキシル基、オクチル基、２−エチルヘキシル基などの炭素数１〜２０の直鎖又は分岐鎖状のアルキル基などが挙げられる。上記アルキル基が有していてもよい置換基としては、例えば、上述の芳香族ヒドロキシカルボン酸における置換基と同様の基（但し、アルキル基は除く）が挙げられる。
【００６３】
上記式（ｉ）中のＹ1、Ｙ2は、同一又は異なって、熱重合性官能基を示す。上記熱重合性官能基としては、上述の熱重合性官能基が例示される。また、上記式（ｉ）中のｎ１、ｎ２は、同一又は異なって、０以上の整数を示す。但し、ｎ１とｎ２の合計（ｎ１＋ｎ２）は１以上の整数を示す（即ち、上記式（ｉ）で表される化合物は、分子内に１以上の熱重合性官能基を有する）。ｎ１とｎ２の合計としては、例えば、１〜１０の整数（より好ましくは１〜５の整数）が好ましい。また、Ｙ1、Ｙ2のＸ1、Ｘ2に対する結合位置は、特に限定されない。なお、ｎ１（又はｎ２）が２以上の整数である場合、複数のＹ1（又はＹ2）は、同一であってもよいし、異なっていてもよい。
【００６４】
また、化合物（Ｂ）としては、下記式（ｉｉ）で表される化合物（α，β−不飽和カルボニル基（不飽和基が三重結合の場合）及び熱重合性官能基を有する化合物）が挙げられる。
【化７】
2014080557.tif 000008
【００６５】
上記式（ｉｉ）中のＸ3、Ｘ4は、同一又は異なって有機基を示す。上記有機基としては、式（ｉ）中のＸ1、Ｘ2として例示したものと同様の有機基が挙げられる。また、上記式（ｉ）中のＸ1、Ｘ2と同様に、上記式（ｉｉ）中のＸ3、Ｘ4は、互いに結合して式中に示される３つの炭素原子とともに環を形成していてもよい。
【００６６】
上記式（ｉｉ）中のＹ3、Ｙ4は、同一又は異なって、熱重合性官能基を示す。上記熱重合性官能基としては、上述の熱重合性官能基が例示される。また、上記式（ｉｉ）中のｎ３、ｎ４は、同一又は異なって、０以上の整数を示す。但し、ｎ３とｎ４の合計（ｎ３＋ｎ４）は１以上の整数を示す（即ち、上記式（ｉｉ）で表される化合物は、分子内に１以上の熱重合性官能基を有する）。ｎ３とｎ４の合計としては、例えば、１〜１０の整数（より好ましくは１〜５の整数）が好ましい。また、Ｙ3、Ｙ4のＸ3、Ｘ4に対する結合位置は、特に限定されない。なお、ｎ３（又はｎ４）が２以上の整数である場合、複数のＹ3（又はＹ4）は、同一であってもよいし、異なっていてもよい。
【００６７】
また、化合物（Ｂ）としては、下記式（ｉｉｉ）で表される化合物（熱重合性官能基を有するカルボン酸又はその誘導体）が挙げられる。
【化８】
2014080557.tif 000009
【００６８】
上記式（ｉｉｉ）中のＲaは、水酸基（−ＯＨ）、アルコキシ基、ハロゲン原子、又はアシルオキシ基を示す。上記アルコキシ基としては、例えば、メトキシ基、エトキシ基、プロポキシ基などの炭素数１〜２０のアルコキシ基、及びその誘導体などが挙げられる。上記ハロゲン原子としては、フッ素原子、塩素原子、臭素原子、ヨウ素原子などが挙げられる。上記アシルオキシ基としては、例えば、アセチルオキシ基、プロピオニルオキシ基、ブチリルオキシ基、下記式で表される基などが挙げられる。なお、下記式におけるＸ5、Ｙ5、ｎ５は、上記式（ｉｉｉ）におけるものと同じである。
【化９】
2014080557.tif 000010
【００６９】
上記式（ｉｉｉ）中のＸ5は有機基を示す。上記有機基としては、式（ｉ）中のＸ1、Ｘ2として例示したものと同様の有機基が挙げられる。上記式（ｉｉｉ）中のＹ5は熱重合性官能基を示す。上記熱重合性官能基としては、上述の熱重合性官能基が例示される。また、上記式（ｉｉｉ）中のｎ５は１以上の整数を示す。ｎ５としては、例えば、１〜１０の整数（より好ましくは１〜５の整数）が好ましい。また、Ｙ5のＸ5に対する結合位置は、特に限定されない。なお、ｎ５が２以上の整数である場合、複数のＹ5は、同一であってもよいし、異なっていてもよい。
【００７０】
また、化合物（Ｂ）としては、下記式（ｉｖ）で表される化合物（熱重合性官能基を有するエポキシ化合物）が挙げられる。
【化１０】
2014080557.tif 000011
【００７１】
上記式（ｉｖ）中のＸ6は有機基を示す。上記有機基としては、式（ｉ）中のＸ1、Ｘ2として例示したものと同様の有機基が挙げられる。上記式（ｉｖ）中のＹ6は熱重合性官能基を示す。上記熱重合性官能基としては、上述の熱重合性官能基が例示される。また、上記式（ｉｖ）中のｎ６は１以上の整数を示す。ｎ６としては、例えば、１〜１０の整数（より好ましくは１〜５の整数）が好ましい。また、Ｙ6のＸ6に対する結合位置は、特に限定されない。なお、ｎ６が２以上の整数である場合、複数のＹ6は、同一であってもよいし、異なっていてもよい。
【００７２】
上記式（ｉｖ）中のＲ3〜Ｒ5は、同一又は異なって、水素原子又は置換基を有していてもよいアルキル基を示す。上記置換基を有していてもよいアルキル基としては、上記式（ｉ）中のＲ1、Ｒ2として例示したものと同様の基が挙げられる。
【００７３】
化合物（Ｂ）としては、より具体的には、例えば、メチレンビスマレイミド（４，４'−ジフェニルメタンビスマレイミド）、ｍ−フェニレンビスマレイミド、２，２'−ビス［４−（４−マレイミドフェノキシ）フェニル］プロパン、エチレンビスマレイミド、ｏ−フェニレンビスマレイミド、ｐ−フェニレンビスマレイミド、ｍ−トルイレンビスマレイミド、４，４'−ビフェニレンビスマレイミド、４，４'−［３，３'−ジメチル−ビフェニレン］ビスマレイミド、４，４'−［３，３'−ジメチルジフェニルメタン］ビスマレイミド、４，４'−［３，３'−ジエチルジフェニルメタン］ビスマレイミド、４，４'−ジフェニルメタンビスマレイミド、４，４'−ジフェニルプロパンビスマレイミド、４，４'−ジフェニルエーテルビスマレイミド、３，３'−ジフェニルスルホンビスマレイミド、４，４'−ジフェニルスルホンビスマレイミドなどのビスマレイミド化合物；４−マレイミド安息香酸；４−マレイミド安息香酸メチル；４−マレイミド安息香酸エチルなどが挙げられる。
【００７４】
［熱硬化性液晶ポリエステル組成物の製造方法］
本発明の熱硬化性液晶ポリエステル組成物は、上述のように、液晶ポリエステル（Ａ）と化合物（Ｂ）とを溶融混合することにより得られる。液晶ポリエステル（Ａ）と化合物（Ｂ）とを溶融混合する際には、液晶ポリエステル（Ａ）、化合物（Ｂ）以外の成分（「その他の成分」と称する場合がある；例えば、後述の無機フィラーなど）をともに混合してもよい。後述のように、溶融混合によって主に液晶ポリエステル（Ａ）の付加反応性基（ａ）（水酸基、アシルオキシ基、芳香族環、及び共役ジエン構造からなる群より選択された少なくとも１種）と、化合物（Ｂ）の付加反応性基（ｂ）との反応（付加反応）が主に進行し、熱硬化性を有する液晶ポリエステル組成物が得られる。なお、本発明の熱硬化性液晶ポリエステル組成物を製造するにあたり、液晶ポリエステル（Ａ）は１種を単独で使用することもできるし、２種以上を組み合わせて使用することもできる。同様に、化合物（Ｂ）は１種を単独で使用することもできるし、２種以上を組み合わせて使用することもできる。
【００７５】
本発明の熱硬化性液晶ポリエステル組成物を構成する液晶ポリエステル（Ａ）と化合物（Ｂ）の割合（配合割合）は、液晶ポリエステル（Ａ）や化合物（Ｂ）の種類等により異なり、特に限定されないが、液晶ポリエステル（Ａ）１００重量部に対する化合物（Ｂ）の割合（配合量）として、１０〜３００重量部が好ましく、より好ましくは２０〜２５０重量部、さらに好ましくは３０〜２００重量部である。化合物（Ｂ）の割合が１０重量部未満であると、熱硬化性液晶ポリエステル組成物の硬化性が低下する場合がある。一方、化合物（Ｂ）の含有量が３００重量部を超えると、熱硬化性液晶ポリエステル組成物中に化合物（Ｂ）が多量に残存し、硬化物の物性に悪影響が及ぶ場合がある。
【００７６】
上記溶融混合の温度は、液晶ポリエステル（Ａ）及び化合物（Ｂ）を溶融させることができる温度（特に、液晶ポリエステル（Ａ）の融点以上）であればよく、特に限定されないが、２００℃以下（例えば、８０〜２００℃）が好ましく、より好ましくは１２０〜１８０℃である。溶融混合の温度が２００℃を超えると、化合物（Ｂ）に由来する熱重合性官能基の重合反応が進行してしまう場合がある。なお、溶融混合の温度は、溶融混合する間一定となるように制御することもできるし、段階的又は連続的に変動するように制御することもできる。
【００７７】
上記溶融混合の時間は、特に限定されないが、３０〜６００分が好ましく、より好ましくは６０〜４８０分である。溶融混合の時間が３０分未満であると、液晶ポリエステル（Ａ）と化合物（Ｂ）の反応進行が不十分となり、硬化物の物性が低下する場合がある。一方、溶融混合の時間が６００分を超えると、硬化物の生産性が低下する場合がある。
【００７８】
上記溶融混合は、常圧下で行うこともできるし、減圧下又は加圧下で行うこともできる。また、上記溶融混合は、一段階で行うこともできるし、二段階以上の多段階に分けて行うこともできる。
【００７９】
上記溶融混合は、公知乃至慣用の装置（溶融混合装置）を使用して実施することができる。上記溶融混合装置としては、特に限定されないが、一軸押出機、二軸押出機などの押出機；バドルミキサー、高速流動式ミキサー、リボンミキサー、バンバリーミキサー、ハーケミキサー、スタティックミキサーなどのミキサー；ニーダーなどが挙げられる。
【００８０】
液晶ポリエステル（Ａ）と化合物（Ｂ）とを溶融混合することにより、本発明の熱硬化性液晶ポリエステル組成物が得られる。本発明の熱硬化性液晶ポリエステル組成物は、液晶ポリエステル（Ａ）の分子鎖末端の付加反応性基（ａ）と、化合物（Ｂ）の付加反応性基（ｂ）とが溶融混合時に反応することにより形成される付加物を必須成分として含む組成物である。上記付加物は、液晶ポリエステル（Ａ）の１以上と化合物（Ｂ）の１以上とが上述の付加反応により結合したものである。
【００８１】
具体的には、上述の液晶ポリエステル（Ａ）と化合物（Ｂ）の付加物は、例えば、液晶ポリエステル（Ａ）が付加反応性基（ａ）として水酸基を有する場合であって、化合物（Ｂ）として上記式（ｉ）で表される化合物を用いた場合には、下記式（１）で表される。
【化１１】
2014080557.tif 000012
【００８２】
上記式（１）におけるＬ1は、液晶ポリエステル骨格を示す。当該液晶ポリエステル骨格としては、例えば、液晶ポリエステル（Ａ）から１つの水酸基（分子鎖末端の水酸基）を除いた骨格、２以上の液晶ポリエステル（Ａ）が１以上の化合物（Ｂ）（式（ｉ）で表される化合物）と付加して連結することにより形成されたもの（付加物）から１つの水酸基（分子鎖末端の水酸基）を除いた骨格などが挙げられる。
【００８３】
上記式（１）におけるＸ1、Ｘ2、Ｒ1、Ｒ2、Ｙ1、Ｙ2、ｎ１、ｎ２は、上記式（ｉ）におけるものと同じである。
【００８４】
また、上記付加物は、例えば、液晶ポリエステル（Ａ）が付加反応性基（ａ）として芳香族環を有する場合であって、化合物（Ｂ）として上記式（ｉ）で表される化合物を用いた場合には、液晶ポリエステル（Ａ）の芳香族環と化合物（Ｂ）の炭素−炭素二重結合とが環化反応（環化付加反応）して形成される付加物であってもよい。
【００８５】
また、上記付加物は、例えば、液晶ポリエステル（Ａ）が付加反応性基（ａ）として共役ジエン構造を有する場合であって、化合物（Ｂ）として上記式（ｉ）で表される化合物を用いた場合には、液晶ポリエステル（Ａ）の共役ジエン構造と化合物（Ｂ）の炭素−炭素二重結合とが環化反応（環化付加反応）して形成される付加物であってもよい。
【００８６】
また、上述の液晶ポリエステル（Ａ）と化合物（Ｂ）の付加物は、例えば、液晶ポリエステル（Ａ）が付加反応性基（ａ）として水酸基を有する場合であって、化合物（Ｂ）として上記式（ｉｉ）で表される化合物を用いた場合には、下記式（２）で表される。
【化１２】
2014080557.tif 000013
【００８７】
上記式（２）におけるＬ2は、液晶ポリエステル骨格を示す。当該液晶ポリエステル骨格としては、例えば、液晶ポリエステル（Ａ）から１つの水酸基（分子鎖末端の水酸基）を除いた骨格、２以上の液晶ポリエステル（Ａ）が１以上の化合物（Ｂ）（式（ｉｉ）で表される化合物）と付加して連結することにより形成されたもの（付加物）から１つの水酸基（分子鎖末端の水酸基）を除いた骨格などが挙げられる。また、上記式（２）におけるＸ3、Ｘ4、Ｙ3、Ｙ4、ｎ３、ｎ４は、上記式（ｉｉ）におけるものと同じである。
【００８８】
また、上述の液晶ポリエステル（Ａ）と化合物（Ｂ）の付加物は、例えば、液晶ポリエステル（Ａ）が付加反応性基（ａ）として水酸基又はアシルオキシ基を有する場合であって、化合物（Ｂ）として上記式（ｉｉｉ）で表される化合物を用いた場合には、下記式（３）で表される。
【化１３】
2014080557.tif 000014
【００８９】
上記式（３）におけるＬ3は、液晶ポリエステル骨格を示す。当該液晶ポリエステル骨格としては、例えば、液晶ポリエステル（Ａ）から１つの水酸基（分子鎖末端の水酸基）又はアシルオキシ基（分子鎖末端のアシルオキシ基）を除いた骨格、２以上の液晶ポリエステル（Ａ）が１以上の化合物（Ｂ）（式（ｉｉｉ）で表される化合物）と付加して連結することにより形成されたもの（付加物）から１つの水酸基（分子鎖末端の水酸基）又はアシルオキシ基（分子鎖末端のアシルオキシ基）を除いた骨格などが挙げられる。また、上記式（３）におけるＸ5、Ｙ5、ｎ５は、上記式（ｉｉｉ）におけるものと同じである。
【００９０】
また、上述の液晶ポリエステル（Ａ）と化合物（Ｂ）の付加物は、例えば、液晶ポリエステル（Ａ）が付加反応性基として水酸基を有する場合であって、化合物（Ｂ）として上記式（ｉｖ）で表される化合物を用いた場合には、下記式（４）又は下記式（５）で表される。
【化１４】
2014080557.tif 000015
【化１５】
2014080557.tif 000016
【００９１】
上記式（４）及び式（５）におけるＬ4は、液晶ポリエステル骨格を示す。当該液晶ポリエステル骨格としては、例えば、液晶ポリエステル（Ａ）から１つの水酸基（分子鎖末端の水酸基）を除いた骨格、２以上の液晶ポリエステル（Ａ）が１以上の化合物（Ｂ）（式（ｉｖ）で表される化合物）と付加して連結することにより形成されたもの（付加物）から１つの水酸基（分子鎖末端の水酸基）を除いた骨格などが挙げられる。また、上記式（４）及び式（５）におけるＸ6、Ｙ6、Ｒ3〜Ｒ5、ｎ６は、上記式（ｉｖ）におけるものと同じである。
【００９２】
本発明の熱硬化性液晶ポリエステル組成物は、無機フィラーを含有していてもよい。無機フィラーを含有させることにより、硬化物の性能を目的（用途）に応じて調整することが可能となる。上記無機フィラーとしては、公知乃至慣用の無機フィラーを使用することができ、特に限定されないが、例えば、シリカ（例えば、天然シリカ、合成シリカなど）、酸化アルミニウム（例えば、α−アルミナなど）、酸化チタン、酸化ジルコニウム、酸化マグネシウム、酸化セリウム、酸化イットリウム、酸化カルシウム、酸化亜鉛、酸化鉄などの酸化物；炭酸カルシウム、炭酸マグネシウムなどの炭酸塩；硫酸バリウム、硫酸アルミニウム、硫酸カルシウムなどの硫酸塩；窒化アルミニウム、窒化ケイ素、窒化チタン、窒化ホウ素などの窒化物；水酸化カルシウム、水酸化アルミニウム、水酸化マグネシウムなどの水酸化物；マイカ、タルク、カオリン、カオリンクレー、カオリナイト、ハロイサイト、パイロフィライト、モンモリロナイト、セリサイト、アメサイト、ベントナイト、アスベスト、ウォラストナイト、セピオライト、ゾノライト、ゼオライト、ハイドロタルサイト、フライアッシュ、脱水汚泥、ガラス、ケイ藻土、ケイ砂、カーボンブラック、センダスト、アルニコ磁石、各種フェライト等の磁性粉、水和石膏、ミョウバン、三酸化アンチモン、マグネシウムオキシサルフェイト、シリコンカーバイド、チタン酸カリウム、ケイ酸カルシウム、ケイ酸マグネシウム、ケイ酸アルミニウム、燐酸マグネシウム、銅、鉄などが挙げられる。上記無機フィラーは、中実構造、中空構造、多孔質構造等のいずれの構造を有していてもよい。また、上記無機フィラーは、例えば、オルガノハロシラン、オルガノアルコキシシラン、オルガノシラザン等の有機ケイ素化合物などの周知の表面処理剤により表面処理されたものであってもよい。なお、本発明の熱硬化性液晶ポリエステル組成物において無機フィラーは、１種を単独で使用することもできるし、２種以上を組み合わせて使用することもできる。中でも、特に、本発明の熱硬化性液晶ポリエステル組成物を半導体封止材用に使用する場合には、シリカ（シリカフィラー）等を使用することが好ましく、硬化物の熱伝導性や放熱特性を調整する場合には、アルミナ（アルミナ微粒子）等を使用することが好ましい。
【００９３】
本発明の熱硬化性液晶ポリエステル組成物における無機フィラーの含有量は、特に限定されないが、熱硬化性液晶ポリエステル組成物を構成する液晶ポリエステル（Ａ）と化合物（Ｂ）の合計量（総量）１００重量部に対して、０〜５００重量部が好ましく、より好ましくは０〜３００重量部である。なお、上記「熱硬化性液晶ポリエステル組成物を構成する液晶ポリエステル（Ａ）と化合物（Ｂ）」には、熱硬化性液晶ポリエステル組成物中に存在する液晶ポリエステル（Ａ）と化合物（Ｂ）に加え、上記付加物を構成する液晶ポリエステル（Ａ）と化合物（Ｂ）の量も含むものとし、当段落以外についても同様である。
【００９４】
上記無機フィラーは、本発明の熱硬化性液晶ポリエステル組成物を調製する際（液晶ポリエステル（Ａ）及び化合物（Ｂ）を溶融混合する際）にともに配合することもできるし、本発明の熱硬化性液晶ポリエステル組成物をいったん調製した後に配合することもできる。
【００９５】
本発明の熱硬化性液晶ポリエステル組成物は、硬化反応を促進したり制御するための添加剤を含んでいてもよい。上記添加剤としては、特に限定されないが、例えば、ジアミノ化合物［例えば、ジアミノジフェニルメタンなど］、ジアリル化合物［ジアリルビスフェノールＡなど］、トリアジン類［例えば、１，３，５−トリ−２−プロペニル−１，３，５−トリアジン−２，４，６（１Ｈ，３Ｈ，５Ｈ）−トリオン、１，３，５−トリス(２−メチル−２−プロペニル)−１，３，５−トリアジン−２，４，６（１Ｈ，３Ｈ，５Ｈ）−トリオン、１，３，５−トリス（２，３−エポキシプロピル）−１，３，５−トリアジン−２，４，６（１Ｈ，３Ｈ，５Ｈ）−トリオンなど］などが挙げられる。なお、上記添加剤は１種を単独で使用することもできるし、２種以上を組み合わせて使用することもできる。
【００９６】
上記添加剤の含有量（配合量）は、特に限定されないが、熱硬化性液晶ポリエステル組成物を構成する液晶ポリエステル（Ａ）と化合物（Ｂ）の合計量１００重量部に対して、０〜３０重量部が好ましく、より好ましくは１〜２０重量部である。
【００９７】
上記添加剤は、本発明の熱硬化性液晶ポリエステル組成物を調製する際（液晶ポリエステル（Ａ）及び化合物（Ｂ）を溶融混合する際）にともに配合することもできるし、本発明の熱硬化性液晶ポリエステル組成物をいったん調製した後に配合することもできる。
【００９８】
本発明の熱硬化性液晶ポリエステル組成物は、本発明の効果を損なわない範囲で、その他の添加剤を含んでいてもよい。上記その他の添加剤としては、公知乃至慣用の添加剤を使用でき、特に限定されないが、例えば、シリコーン樹脂、エポキシ樹脂、フッ素樹脂等の有機樹脂；溶剤；安定化剤（酸化防止剤、紫外線吸収剤、耐光安定剤、熱安定化剤など）；難燃剤（リン系難燃剤、ハロゲン系難燃剤、無機系難燃剤など）；難燃助剤；補強材；核剤；カップリング剤；滑剤；ワックス；可塑剤；離型剤；耐衝撃性改良剤；色相改良剤；流動性改良剤；着色剤（染料、顔料など）；分散剤；消泡剤；脱泡剤；抗菌剤；防腐剤；粘度調整剤；増粘剤などの慣用の添加剤が挙げられる。上記その他の添加剤は１種を単独で使用することもできるし、２種以上を組み合わせて使用することもできる。上記その他の添加剤の含有量は、特に限定されないが、熱硬化性液晶ポリエステル組成物の全量（１００重量％）に対して、０〜５重量％が好ましく、より好ましくは０〜２重量％である。上記その他の添加剤は、本発明の熱硬化性液晶ポリエステル組成物を調製する際（液晶ポリエステル（Ａ）及び化合物（Ｂ）を溶融混合する際）にともに配合することもできるし、本発明の熱硬化性液晶ポリエステル組成物をいったん調製した後に配合することもできる。
【００９９】
上述のように、本発明の熱硬化性液晶ポリエステル組成物は、液晶ポリエステル（Ａ）と化合物（Ｂ）を溶融混合することにより得られる熱硬化性組成物である。本発明の特徴的な設計思想の一つは、分子鎖末端に付加反応性基（ａ）を有する液晶ポリエステル（Ａ）、付加反応性基（ｂ）及び熱重合性官能基を分子内に有する化合物（Ｂ）として、両成分の溶融混合の際には、液晶ポリエステル（Ａ）の付加反応性基（ａ）と、化合物（Ｂ）の付加反応性基（ｂ）との反応が主に進行し、一方で、化合物（Ｂ）の熱重合性官能基同士の反応は実質的に進行しないものを用いることにある。これにより、溶融混合という簡便な作業によって、容易に熱硬化性を有する組成物（熱硬化性組成物）を得ることができ、このようにして得られた熱硬化性組成物は、例えば、２５０℃以下という比較的低温で硬化させることができ、耐熱性をはじめとする各種物性に優れた硬化物を形成する。
【０１００】
＜硬化物＞
本発明の熱硬化性液晶ポリエステル組成物を加熱によって硬化させる（硬化反応を進行させる）ことにより、硬化物（「本発明の硬化物」と称する場合がある）が得られる。加熱によって主に化合物（Ｂ）に起因する熱重合性官能基同士の反応（重合反応）が進行し、硬化物が形成される。加熱の手段としては、公知乃至慣用の手段を利用することができ、特に限定されない。
【０１０１】
本発明の熱硬化性液晶ポリエステル組成物を硬化させる際の加熱温度（硬化温度）は、特に限定されないが、１７０〜２５０℃が好ましく、より好ましくは２１０〜２５０℃、さらに好ましくは２２０〜２５０℃である。硬化温度が１７０℃未満であると、硬化反応の進行が不十分となり、硬化物の物性が低下する場合がある。一方、硬化温度が２５０℃を超えると、硬化物を生成させる工程が煩雑となり、生産性が低下する場合がある。なお、硬化温度は、硬化させる間一定となるように制御することもできるし、段階的又は連続的に変動するように制御することもできる。
【０１０２】
本発明の熱硬化性液晶ポリエステル組成物を硬化させる際の加熱時間（硬化時間）は、特に限定されないが、３〜６００分が好ましく、より好ましくは５〜４８０分、さらに好ましくは５〜３６０分である。硬化時間が３分未満であると、硬化反応の進行が不十分となり、硬化物の物性が低下する場合がある。一方、硬化時間が６００分を超えると、硬化物の生産性が低下する場合がある。
【０１０３】
本発明の熱硬化性液晶ポリエステル組成物の硬化は、常圧下で行うこともできるし、減圧下又は加圧下で行うこともできる。また、上記硬化は、一段階で行うこともできるし、二段階以上の多段階に分けて行うこともできる。
【０１０４】
本発明の硬化物の、昇温速度１０℃／分（空気中）で測定される５％重量減少温度（Ｔd5）は、特に限定されないが、３５０℃以上（例えば、３５０〜５００℃）が好ましく、より好ましくは３８０℃以上、さらに好ましくは４００℃以上である。５％重量減少温度が３５０℃未満であると、用途によっては耐熱性が不十分となる場合がある。上記５％重量減少温度は、例えば、ＴＧ／ＤＴＡ（示差熱・熱重量同時測定）などにより測定できる。
【０１０５】
本発明の硬化物の空気中における熱分解反応の活性化エネルギーは、特に限定されないが、１５０ｋＪ／ｍｏｌ以上（例えば、１５０〜３５０ｋＪ／ｍｏｌ）が好ましく、より好ましくは１８０ｋＪ／ｍｏｌ以上、さらに好ましくは２００ｋＪ／ｍｏｌ以上である。上記活性化エネルギーが１５０ｋＪ／ｍｏｌ未満であると、用途によっては耐熱性が不十分となる場合がある。なお、上記活性化エネルギーは、例えば、小沢法により算出することができる。小沢法とは、３種類以上の昇温速度でＴＧ測定（熱重量測定）を行い、得られた熱重量減少のデータから熱分解反応の活性化エネルギーを算出する方法である。
【０１０６】
本発明の硬化物は、本発明の熱硬化性液晶ポリエステル組成物を硬化させることにより得られる硬化物であるため、優れた耐熱性を有し、また、優れた加工性、寸法安定性、低線膨張、高熱伝導性、低吸湿性、誘電特性を有する。さらに、本発明の硬化物は、本発明の熱硬化性液晶ポリエステル組成物を２５０℃以下の比較的低温で加熱することによって得られるため、生産性にも優れる。
【０１０７】
本発明の硬化物は、各種部材や各種構造材等の種々の用途に使用することができる。特に、上述の各種特性に優れるため、フィルム、プリプレグ、プリント配線板、半導体封止材などの用途に好ましく使用できる。即ち、本発明の熱硬化性液晶ポリエステル組成物は、特に、フィルム用熱硬化性組成物、プリプレグ用熱硬化性組成物、プリント配線板用熱硬化性組成物、半導体封止材用熱硬化性組成物などとして好ましく使用することができる。
【実施例】
【０１０８】
以下、実施例により本発明をより具体的に説明するが、本発明はこれらの実施例により限定されるものではない。
【０１０９】
［融点、ガラス転移温度］
下記製造例にて得られた液晶ポリエステルの融点（Ｔｍ）及びガラス転移温度（Ｔｇ）は、示差走査熱量分析装置（「ＤＳＣ６２００」、エスアイアイ・ナノテクノロジー（株）製）にて、２０℃／分の昇温条件（窒素気流下）で測定した。結果を表１に示す。
【０１１０】
［熱重量減少］
下記実施例にて得られた硬化物の５％重量減少温度（Ｔd5）は、ＴＧ／ＤＴＡ（「ＴＧ／ＤＴＡ６３００」、エスアイアイ・ナノテクノロジー（株））にて、１０℃／分の昇温条件（空気中）で測定した。結果を表２に示す。
【０１１１】
［溶融異方性］
下記製造例にて得られた液晶ポリエステルの溶融物が液晶性を有することを、以下の手順で確認した。なお、下記の確認では、直交偏光子間に等方性の溶融物を挿入した場合には光が透過しないが、光学的異方性を有する溶融物（液晶性ポリマー）を挿入した場合には光が透過する現象を利用した。
偏光顕微鏡（ライカマイクロシステムズ社製）を使用し、ホットステージ（メトラー・トレド社製）に下記製造例にて得られた液晶ポリエステルを載せて溶融させ、２５０倍の倍率で観察した。その結果、下記製造例にて得られた液晶ポリエステルの溶融物はいずれも、液晶性を有することが確認された。
【０１１２】
製造例１
［液晶ポリエステルａ（１０量体）の製造］
表１に示すように、コンデンサーと攪拌機を取り付けた５００ｍＬのフラスコに、４−ヒドロキシ安息香酸９４．３ｇ（０．６８２ｍｏｌ）、６−ヒドロキシ−２−ナフトエ酸１０２．７ｇ（０．５４６ｍｏｌ）、４，４'−ジヒドロキシビフェニル２５．４ｇ（０．１３６ｍｏｌ）、無水酢酸１５６．３ｇ（１．５３ｍｏｌ）、及び酢酸カリウム１０．０ｍｇ（０．１０ｍｏｌ）を入れ、窒素雰囲気下で１４０℃まで徐々に温度を上げた後、温度を維持しながら３時間反応させてアセチル化反応を完結させた。次いで、０．８℃／分の速度で３４０℃まで昇温しながら酢酸及び未反応の無水酢酸を留去した。その後、フラスコ内を徐々に１Ｔｏｒｒまで減圧して揮発成分を留去することで、芳香族ユニット（芳香族化合物に由来する構成単位）のみからなる分子鎖の両末端に水酸基を有する液晶ポリエステルａを得た。得られた液晶ポリエステルａの熱分析結果［ガラス転移温度（Ｔｇ）、融点（Ｔｍ）］は、表１に示す通りであった。なお、得られた液晶ポリエステルａは、液晶ポリエステルａの末端数の算出（特開平５−２７１３９４号公報に記載のアミン分解ＨＰＬＣ法による）、及びＧＰＣ測定の結果、単量体の１０量体であると見積もられた。
【０１１３】
製造例２
［液晶ポリエステルｂ（５量体）の製造］
表１に示すように、４−ヒドロキシ安息香酸の使用量を８１．４ｇ（０．５８９ｍｏｌ）、６−ヒドロキシ−２−ナフトエ酸の使用量を８８．９ｇ（０．４７２ｍｏｌ）、４，４'−ジヒドロキシビフェニルの使用量を４９．４ｇ（０．２６５ｍｏｌ）、無水酢酸の使用量を１６５．８ｇ（１．６２ｍｏｌ）、酢酸カリウムの使用量を１０．０ｍｇ（０．１０ｍｏｌ）としたこと以外は製造例１と同様の操作を行い、芳香族ユニット（芳香族化合物に由来する構成単位）のみからなる分子鎖の両末端に水酸基を有する液晶ポリエステルｂを得た。得られた液晶ポリエステルｂの熱分析結果は、表１に示す通りであった。なお、得られた液晶ポリエステルｂは、液晶ポリエステルｂの末端数の算出（特開平５−２７１３９４号公報に記載のアミン分解ＨＰＬＣ法による）、及びＧＰＣ測定の結果、単量体の５量体であると見積もられた。
【０１１４】
製造例３
［液晶ポリエステルｃ（２０量体）の製造］
表１に示すように、４−ヒドロキシ安息香酸の使用量を１００．９ｇ（０．７３１ｍｏｌ）、６−ヒドロキシ−２−ナフトエ酸の使用量を１１０．０ｇ（０．５８５ｍｏｌ）、４，４'−ジヒドロキシビフェニルの使用量を１２．９ｇ（０．０６９ｍｏｌ）、無水酢酸の使用量を１５１．４ｇ（１．４８ｍｏｌ）、酢酸カリウムの使用量を１０．０ｍｇ（０．１０ｍｏｌ）としたこと以外は製造例１と同様の操作を行い、芳香族ユニット（芳香族化合物に由来する構成単位）のみからなる分子鎖の両末端に水酸基を有する液晶ポリエステルｃを得た。得られた液晶ポリエステルｃの熱分析結果は、表１に示す通りであった。なお、得られた液晶ポリエステルｃは、液晶ポリエステルｃの末端数の算出（特開平５−２７１３９４号公報に記載のアミン分解ＨＰＬＣ法による）、及びＧＰＣ測定の結果、単量体の２０量体であると見積もられた。
【０１１５】
【表１】
2014080557.tif 000017
【０１１６】
表１における略語の意味は、以下の通りである。
ＨＢＡ  ：  ４−ヒドロキシ安息香酸
ＨＮＡ  ：  ６−ヒドロキシ−２−ナフトエ酸
ＢＰ  ：  ４，４'−ジヒドロキシビフェニル
【０１１７】
実施例１
［熱硬化性液晶ポリエステル組成物及びその硬化物の製造］
表２に示すように、実施例１で得られた液晶ポリエステルａ３．２７ｇとメチレンビスマレイミド１．４２ｇとを、１７０℃で６時間溶融混合し、溶融物（熱硬化性液晶ポリエステル組成物）を得た。その後、得られた溶融物をガラス板に挟んでホットプレートで２４０℃に加熱し、６時間硬化反応を進行させて、均一な硬化物を得た。上記硬化物の５％重量減少温度（Ｔd5）は、表２に示す通りであった。
【０１１８】
実施例２〜４
液晶ポリエステルの種類及び量、ビスマレイミド化合物の量を表２に示すように変更したこと以外は実施例１と同様にして、熱硬化性液晶ポリエステル組成物及びその硬化物を得た。上記硬化物は、何れも均一な硬化物であった。これらの硬化物の５％重量減少温度（Ｔd5）は、表２に示す通りであった。
【０１１９】
【表２】
2014080557.tif 000018
【０１２０】
表２に示すように、実施例で得られた熱硬化性液晶ポリエステル組成物は、２５０℃以下の比較的低温で硬化（熱硬化）させることができ、なおかつ得られた硬化物は５％重量減少温度が高く、非常に優れた耐熱性を有していた。